(57)【特許請求の範囲】
【請求項１】
矩形状の枠縁、及び、前記枠縁内に位置し、上下左右の端部にピンホールを有する中軸を有する枠材、
前記中軸に取り付ける絵画具であって、上下左右の端部にピンホールを有する絵画具、
前記中軸の前記ピンホール及び前記絵画具の前記ピンホールに挿入され、前記中軸に前記絵画具を取り付ける化粧ボルトであって、軸部及び頭部を有する化粧ボルト、
を有する化粧フスマであって、
前記中軸は、
前記枠材の側面から見て、前記枠縁から突出せず、
前記化粧ボルトの前記頭部は、
前記枠材に前記絵画具を取り付けた状態で、前記絵画具の外部表面に位置し、かつ、前記枠材の側面から見て、前記枠縁から突出しないこと、
を特徴とする化粧フスマ。
【請求項２】
請求項１に係る化粧フスマにおいて、
前記枠縁は、
幅広の縦方向枠縁、及び、幅狭の縦方向枠縁、
を有し、
前記幅広の縦方向枠縁は、
前記化粧フスマを開閉するための引手溝、
を有する化粧フスマ。
【請求項３】
請求項１又は請求項２に係る化粧フスマにおいて、
前記中軸が、格子状になっていること、
を特徴とする化粧フスマ。
【発明の詳細な説明】
【技術分野】
【０００１】
本発明は和風、洋風の建築物の住宅に関する生活環境をアップする又は建築物に依る住生活を向上する為に計画設計する。
【背景技術】
【０００２】
住生活に於いて現在は立派な素晴しい建築物がある、又は立派な高価な物件がある此の発明は現在は室内の模様替え又は建具変更は専門家と一緒に成り計画を考えて来た、此の新しい方法では家主又は家族で色柄、絵画具を決める事が出来る。
【発明の概要】
【発明が解決しようとする課題】
【０００３】
本発明は和風式の建築物と洋風建築物の内装の仕上がりの壁材料、建具材料と異なる設計で出来ている。
日本の和風建築の設計設工は価額の設定に依り多難な問題が在る其処で此の和洋式化粧フスマは建具＋絵画＋単価の見積もりが家主＋家族で決定が取り替える事も可能に成る。
【課題を解決するための手段】
【０００４】
本発明は和風式洋風式の住宅の建具に関する色彩の考え方について現在は建具メ−カ−のアイデアで一方的に依る商品である。使用又は生活する住人には選べる事は出来なかつた、本発明も絵画の色柄絵又種類を数多く製造する、事に依る簡単に絵画具を選べる事が出来る。
【発明の効果】
【０００５】
本発明は、洋風式又は和風式の住宅の中で生活する上で室内の間仕切りを考えてプライバシ−の問題、音響の問題、色柄の問題、精神的に落ち付くか環境の問題を全項目満足出来るように解決できる。
【図面の簡単な説明】
【０００６】
【図１】本発明に係る和洋式化粧フスマ１の正面図である。
【図２】本発明に係る和洋式化粧フスマ１の側面図である。
【図３】レ−ス生地で障子柄目を表示した絵画具６を示す図である。
【図４】畳み茣蓙に絵を印刷表示した絵画具８を示す図である。
【図５】和風フスマ紙を使用した絵画具９を示す図である。
【図６】桧板又は化粧合板を使用した絵画具１０を示す図である。
【図７】西陣織物及び友禅織物生地を使用した絵画具１１を示す図である。
【図８】麻の織物生地を使用した絵画具１２を示す図である。
【図９】絵画具を取り付ける中軸１３を示す図である。
【図１０】障子目付けの中軸１４を示す図である。
【図１１】八角構造体の中軸１５を示す図である。
【図１２】化粧ボルト１６を示す図である。
【実施例１】
【０００７】
以下本発明の好適な形態を図１に基づいて説明する。
【０００８】
図１は、本発明に係る和洋式化粧フスマ１の全体の正面図である。桧、杉、又は其の他の化粧木材を用意し、和洋式化粧フスマ１に適合した、枠及び縁を研磨した枠縁２を製造する。其の枠縁２の中に、新方式の和洋式化粧フスマの絵画具を化粧ボルト１６によって取り付けて、和洋式化粧フスマ１とする。
【０００９】
図２は、本発明に係る和洋式化粧フスマの側面図である。桧又は化粧合板で建具本体を作成した和洋式化粧フスマの建具である。
【００１０】
図３は、和洋式化粧フスマの絵画具６を示している。絵画具６は、作成する材料にレ−ス生地を使用し、其のレ−ス生地の寸法の中に、和製障子の柄目７を縫製によって縫い込んで障子を表現したものである。図１のように、上下左右適当な数のピンホ−ル４を造り、縫製に依り加工して、和洋式化粧フスマの絵画具６を作成する。
【００１１】
図４は、和洋式化粧フスマの絵画具８を示している。絵画具８は、作成する材料に畳専用の畳み茣蓙を使用し、畳み茣蓙に絵又は風景画を印刷して縫製によってピンホ−ル４を作成して使用する。絵画具８は、ピンホ−ル４に化粧ボルト１６を挿入して、建具本体にセットする。
【００１２】
図５は、和洋式化粧フスマの絵画具９を示している。絵画具９は、作成する材料に現在の和風の建築住宅に使用する日本フスマ素材のフスマ紙を使用し、フスマの建具に取り付ける様に、ピンホール４を縫製によって加工して、和洋式化粧フスマの絵画具９としてセットする。
【００１３】
図６は、和洋式化粧フスマの絵画具１０を示している。絵画具１０は、作成する素材として桧材又は化粧合板の美しい素材を使用し、ピンホ−ル４又はボルト穴を加工して、新方式の和様式化粧フスマの絵画具１０を作成する。
【００１４】
図７は、和洋式化粧フスマの絵画具１１を示し、絵画具１１の素材に西陣織物及び友禅織物生地を使用し、縫製加工に依り、ピンホ−ル４又はボルト穴を作成して、和洋式化粧フスマの絵画具１１を作成する。
【００１５】
図８は、和洋式化粧フスマの絵画具１２を示し、絵画具１２の素材に麻の生地を使用し、麻の織り目を小さく織って仕上げて縫製加工に依り、ピンホ−ル４又はボルト穴を作成して、和洋式化粧フスマの絵画具１２を作成する。
以下本発明の好適な形態を図９に基づいて説明する。
【００１６】
図９は、本発明に係る和洋式化粧フスマから絵画具を取り外した状態を示す図である。桧、杉、又は、其の他の化粧材を使用して、和洋式化粧フスマに適合した枠及び縁を研磨して、枠縁２を製造する。その枠縁２の中に和洋式化粧フスマの絵画具を取り付ける中軸１３を組み込んである。建具は和洋式化粧フスマ絵画具を取り付けて完了する。
【００１７】
図１２は、本発明に係る和洋式化粧フスマの絵画具を中軸に取り付ける化粧ボルト１６を示している。
【実施例２】
【００１８】
図１０は、本発明に係る障子目付けの中軸１４を示す図である。杉、桧、又は、其の他の化粧材を使用して、和洋式化粧フスマに適合した枠及び縁を研磨して、枠縁２を製造する。其の枠縁２の中に和洋式化粧フスマの絵画具を取り付ける中軸１４を組み込む。建具は和洋式化粧フスマ絵画具を取り付けて完了する。
【実施例３】
【００１９】
図１１は、本発明に係る八角構造体の中軸１５を示す図である。杉、桧、又は、其の他の化粧材を使用して和洋式化粧フスマに適合した枠及び縁を研磨して、枠縁２を製造する。其の枠縁２の中に、和洋式化粧フスマの絵画具を取り付ける中軸１５を組み込む。建具は和洋式化粧フスマ絵画具を取り付けて完了する。
【符号の説明】
【００２０】
１    和洋式化粧フスマ
２    和洋式化粧フスマ１の枠縁
３    和洋式化粧フスマの引手溝
４    和洋式化粧フスマの絵画具を取り付けるピンホール
５    和洋式化粧フスマの建具の戸車
６    和洋式化粧フスマのレ−ス生地の絵画具
７    和洋式化粧フスマのレ−ス生地の絵画具６中の障子の柄目
８    和洋式化粧フスマの畳表に絵柄を書いた絵画具
９    和洋式化粧フスマの和製の紙フスマ紙に絵柄を描いた絵画具
１０  和洋式化粧フスマの化粧合板、桧板、又は、其の他の木造板で仕上げた絵画具
１１  和洋式化粧フスマの西陣織又は友禅織の生地の絵画具
１２  和洋式化粧フスマの麻の織物の生地の絵画具
１３  和洋式化粧フスマの建具の絵画具と絵画具の中軸
１４  和洋式化粧フスマの建具の絵画具と絵画具の中軸
１５  和洋式化粧フスマの建具の絵画具と絵画具の中軸
１６  和洋式化粧フスマの絵画具を取り付ける化粧ボルト
４１  和洋式化粧フスマの絵画具を取り付けるピンホール
【図１】
0005734247.tif 000002
【図２】
0005734247.tif 000003
【図３】
0005734247.tif 000004
【図４】
0005734247.tif 000005
【図５】
0005734247.tif 000006
【図６】
0005734247.tif 000007
【図７】
0005734247.tif 000008
【図８】
0005734247.tif 000009
【図９】
0005734247.tif 000010
【図１０】
0005734247.tif 000011
【図１１】
0005734247.tif 000012
【図１２】
0005734247.tif 000013